【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
無線通信ネットワークで少なくとも２つの搬送波（Ｃａｒｒｉｅｒ）のチャネル特性を少なくとも一つの基地局に報告する加入者局（Ｓｕｂｓｃｒｉｂｅｒ  ｓｔａｔｉｏｎ）において、
第１搬送波に対する周期的（ｐｅｒｉｏｄｉｃ）第１チャネル状態情報（ＣＳＩ：ｃｈａｎｎｅｌ  ｓｔａｔｕｓ  ｉｎｆｏｒｍａｔｉｏｎ）報告及び第２搬送波に対する周期的第２チャネル状態情報報告を伝送するトランシーバーを含み、
前記トランシーバーは、同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を送信し、
前記トランシーバーは、前記同じサブフレームで前記第１チャネル状態情報報告及び前記第２チャネル状態情報報告が衝突する場合であって、前記第１報告タイプ及び前記第２報告タイプに割り当てられた優先順位が同じ場合、相対的に低い識別子を有する搬送波のためのチャネル状態情報報告を送信することを特徴とする加入者局。
【請求項２】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含むことを特徴とする請求項１に記載の加入者局。
【請求項３】
前記トランシーバーは、前記同じサブフレームで前記第１チャネル状態情報報告及び前記第２チャネル状態情報報告が衝突する場合であって、前記第１報告タイプ及び前記第２報告タイプに割り当てられた優先順位が同じ場合、プライマリー（ｐｒｉｍａｒｙ）セルに対応する搬送波に対するチャネル状態情報報告を送信することを特徴とする請求項１に記載の加入者局。
【請求項４】
無線通信ネットワークで、少なくとも一つの加入者局から少なくとも２つの搬送波（ｃａｒｒｉｅｒ）のチャネル特性を受信する基地局において、
第１搬送波に対する周期的（ｐｅｒｉｏｄｉｃ）第１チャネル状態情報（ＣＳＩ：ｃｈａｎｎｅｌ  ｓｔａｔｕｓ  ｉｎｆｏｒｍａｔｉｏｎ）報告及び第２搬送波に対する周期的第２チャネル状態情報報告を受信するトランシーバーを含み、
前記トランシーバーは、同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を受信し、
前記トランシーバーは、前記同じサブフレームで前記第１チャネル状態情報報告及び前記第２チャネル状態情報報告が衝突する場合であって、前記第１報告タイプ及び前記第２報告タイプに割り当てられた優先順位が同じ場合、相対的に低い識別子を有する搬送波のためのチャネル状態情報報告を受信すること確認することを特徴とする基地局。
【請求項５】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含むことを特徴とする請求項４に記載の基地局。
【請求項６】
前記トランシーバーは、前記同じサブフレームで前記第１チャネル状態情報報告及び前記第２チャネル状態情報報告が衝突する場合であって、前記第１報告タイプ及び前記第２報告タイプに割り当てられた優先順位が同じ場合、プライマリー（ｐｒｉｍａｒｙ）セルに対応する搬送波に対するチャネル状態情報報告を受信することを特徴とする請求項４に記載の基地局。
【請求項７】
無線通信ネットワークで少なくとも２つの搬送波（ｃａｒｒｉｅｒ）のチャネル特性を少なくとも一つの基地局に報告する方法において、
第１搬送波に対する周期的（ｐｅｒｉｏｄｉｃ）第１チャネル状態情報（ＣＳＩ：ｃｈａｎｎｅｌ  ｓｔａｔｕｓ  ｉｎｆｏｒｍａｔｉｏｎ）報告及び第２搬送波に対する周期的第２チャネル状態情報報告を伝送するステップを含み、
前記周期的第１チャネル状態情報報告及び前記周期的第２チャネル状態情報報告を送信するステップは、
同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を送信するステップと、
同じサブフレームで前記第１チャネル状態情報報告及び前記第２チャネル状態情報報告が衝突する場合であって、前記第１報告タイプ及び前記第２報告タイプに割り当てられた優先順位が同じ場合、相対的に低い識別子を有する搬送波のためのチャネル状態情報報告を送信するステップと、を含むことを特徴とする方法。
【請求項８】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含むことを特徴とする請求項７に記載の方法。
【請求項９】
前記周期的第１チャネル状態情報報告及び前記周期的第２チャネル状態情報報告を送信するステップは、
前記同じサブフレームで前記第１チャネル状態情報報告及び前記第２チャネル状態情報報告が衝突する場合であって、前記第１報告タイプ及び前記第２報告タイプに割り当てられた優先順位が同じ場合、プライマリー（ｐｒｉｍａｒｙ）セルに対応する搬送波に対するチャネル状態情報報告を送信するステップを含むことを特徴とする請求項７に記載の方法。
【請求項１０】
無線通信ネットワークで加入者局から少なくとも２つの搬送波（ｃａｒｒｉｅｒ）のチャネル特性を受信する方法において、
第１搬送波に対する周期的（ｐｅｒｉｏｄｉｃ）第１チャネル状態情報（ＣＳＩ：ｃｈａｎｎｅｌ  ｓｔａｔｕｓ  ｉｎｆｏｒｍａｔｉｏｎ）報告及び第２搬送波に対する周期的第２チャネル状態情報報告を受信するステップを含み、
前記周期的第１チャネル状態情報報告及び周期的第２チャネル状態情報報告を受信するステップは、
同じサブフレームで前記第１チャネル状態情報報告及び前記第２チャネル状態情報報告が衝突する場合であって、前記第１チャネル状態情報報告の第１報告タイプ及び前記第２チャネル状態情報報告の第２報告タイプに割り当てられた優先順位が異なる場合、前記優先順位の高いチャネル状態情報報告を受信するステップと、
同じサブフレームで前記第１チャネル状態情報報告及び前記第２チャネル状態情報報告が衝突する場合であって、前記第１報告タイプ及び前記第２報告タイプに割り当てられた優先順位が同じ場合、相対的に低い識別子を有する搬送波のためのチャネル状態情報報告を受信するステップと、を含むことを特徴とする方法。
【請求項１１】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含むことを特徴とする請求項１０に記載の方法。
【請求項１２】
前記周期的第１チャネル状態情報報告及び前記周期的第２チャネル状態情報報告を受信するステップは、
前記同じサブフレームで前記第１チャネル状態情報報告及び前記第２チャネル状態情報報告が衝突する場合であって、前記第１報告タイプ及び前記第２報告タイプに割り当てられた優先順位が同じ場合、プライマリー（ｐｒｉｍａｒｙ）セルに対応する搬送波に対するチャネル状態情報報告を受信するステップを含むことを特徴とする請求項１０に記載の方法。
【請求項１３】
前記優先順位は、前記報告タイプが属するクラスによって決定され、
前記クラスは、最も優先順位の高い第１クラス、最も優先順位の低い第３クラス、前記第１クラスより低く前記第３クラスより高い優先順位の第２クラスを含み、
前記第１クラスは、タイプ２ａ報告、タイプ３報告、タイプ５報告、及びタイプ６報告を含み、
前記第２クラスは、タイプ２報告、タイプ２ｂ報告、タイプ２ｃ報告、及びタイプ４報告を含み、
前記第３クラスは、タイプ１報告、及びタイプ１ａ報告を含むことを特徴とする請求項１０に記載の方法。